(57)【要約】【課題】  光ディスク等の情報記録媒体に記録したデータをバックアップできる機能を設けることにより、情報記録媒体として光ディスクの信頼性を高め、ユーザの利便性を向上させる。【解決手段】  まず、第１の記録層をユーザデータの記録領域として、第２の記録層をバックアップデータの記録領域として認識し、ディスクのフォーマットの際に、第２の記録層へＣｏｐｙ設定がなされる（ステップＳ２１）。次に、第２の記録層へのＣｏｐｙ設定後、ユーザからの命令により１層目にユーザデータが記録される（ステップＳ２２）。続いて、第１の記録層に記録されたユーザデータは、ホストコンピュータ１６（ユーザ）からのアクセスがないときに第２の記録層へバックアップデータとしてコピーされる（ステップＳ２３）。【選択図】  図２
2007035102.tif 000002
【特許請求の範囲】
【請求項１】
データの書き換えが可能な複数の記録層を備える情報記録媒体に対し前記データの記録及び再生を行う情報記録再生装置において、
第１の記録層をユーザデータの記録領域、第２の記録層をバックアップデータの記録領域として認識する認識手段と、
前記ユーザデータを第１の記録層へ記録する記録手段と、
前記記録手段により記録されたユーザデータをバックアップデータとして第２の記録層へコピーするコピー手段と、
前記コピー手段によりコピーすることについて制御する制御手段とを有し、
前記制御手段は、前記認識手段により認識した後で、ユーザからのアクセスがないときにコピーを実施する制御を行うことを特徴とする情報記録再生装置。
【請求項２】
前記情報記録媒体は、オポジットトラックパス（ＯＴＰ）方式のディスクであることを特徴とする請求項１に記載の情報記録再生装置。
【請求項３】
前記コピー手段によるコピーの状況について表したコピー情報をビットマップ形式で管理する管理手段を有することを特徴とする請求項１又は２に記載の情報記録再生装置。
【請求項４】
前記管理手段は、前記コピーデータのアドレスのブロックごとにコピー完了又はコピー未了の設定をすることを特徴とする請求項３に記載の情報記録再生装置。
【請求項５】
前記管理手段は、前記記録手段により記録された第１の記録層のユーザデータが上書きして変更された場合に、前記変更されたユーザデータが記録されていたブロックに対応する第２の記録層におけるコピーデータのブロックの設定をコピー未了に再設定することを特徴とする請求項４に記載の情報記録再生装置。
【請求項６】
前記管理手段は、第２の記録層に前記コピー情報を記録することを特徴とする請求項３から５のいずれか１項に記載の情報記録再生装置。
【請求項７】
前記記録手段により記録された第１の記録層のユーザデータを再生するときに再生エラーが発生した場合に、前記コピー手段によりコピーされた第２の記録層のコピーデータを再生する再生リトライ手段を有することを特徴とする請求項１から６のいずれか１項に記載の情報記録再生装置。
【請求項８】
データの書き換えが可能な複数の記録層を備える情報記録媒体に対し前記データの記録及び再生を行う情報記録再生装置において、
第１の記録層をユーザデータの記録領域、第２の記録層をバックアップデータの記録領域として認識する認識工程と、
前記ユーザデータを第１の記録層へ記録する記録工程と、
前記記録工程により記録されたユーザデータをバックアップデータとして第２の記録層へコピーするコピー工程と、
前記コピー工程によりコピーすることについて制御する制御工程とを有し、
前記制御工程は、前記認識工程により認識した後で、ユーザからのアクセスがないときにコピーを実施する制御を行うことを特徴とする情報記録再生方法。
【請求項９】
前記情報記録媒体は、オポジットトラックパス（ＯＴＰ）方式のディスクであることを特徴とする請求項８に記載の情報記録再生方法。
【請求項１０】
前記コピー工程によるコピーの状況について表したコピー情報をビットマップ形式で管理する管理工程を有することを特徴とする請求項８又は９に記載の情報記録再生方法。
【請求項１１】
前記管理工程は、前記コピーデータのアドレスのブロックごとにコピー完了又はコピー未了の設定をすることを特徴とする請求項１０に記載の情報記録再生方法。
【請求項１２】
前記管理工程は、前記記録工程により記録された第１の記録層のユーザデータが上書きして変更された場合に、前記変更されたユーザデータが記録されていたブロックに対応する第２の記録層におけるコピーデータのブロックの設定をコピー未了に再設定することを特徴とする請求項１１に記載の情報記録再生方法。
【請求項１３】
前記管理工程は、第２の記録層に前記コピー情報を記録することを特徴とする請求項１０から１２のいずれか１項に記載の情報記録再生方法。
【請求項１４】
前記記録工程により記録された第１の記録層のユーザデータを再生するときに再生エラーが発生した場合に、前記コピー手段によりコピーされた第２の記録層のコピーデータを再生する再生リトライ工程を有することを特徴とする請求項８から１３のいずれか１項に記載の情報記録再生方法。
【請求項１５】
請求項８から１４のいずれか１項に記載の情報記録再生方法をコンピュータに実行させるためのプログラム。
【請求項１６】
請求項１５に記載のプログラムを記録したコンピュータ読み取り可能な記録媒体。
【発明の詳細な説明】
【技術分野】
【０００１】
本発明は、情報記録再生装置、情報記録再生方法、プログラム及びコンピュータ読み取り可能な記録媒体に関し、特に複数の記録層を有する情報記録媒体に対してデータの記録又は再生を行う情報記録再生装置、情報記録再生方法、プログラム及びコンピュータ読み取り可能な記録媒体に関するものである。
【背景技術】
【０００２】
近年、パーソナルコンピュータは、その機能の向上に伴い、映像や音楽といったＡＶ（Audio Visual）情報を取り扱うことが可能となってきており、また、これらのＡＶ情報は、その情報量が非常に大きいため、情報記録媒体としてＤＶＤ（Digital Versatile Disc）系の光ディスクが注目されている。
【０００３】
記録型ＤＶＤディスクとしては、片面１層のもので、追記型ＤＶＤディスクのＤＶＤ＋Ｒ（Recordable）や書き換え型のＤＶＤ＋ＲＷ（Rewritable）等があり、これらのディスクは、片面１層の再生専用ＤＶＤディスクと高い再生互換性を持つもので、このような記録型ディスクは高速化、大容量化のための研究開発が進んでいる。最近では、片面２層の再生専用ＤＶＤディスクとの再生互換性を持った片面２層のＤＶＤ＋ＲＷディスクが商品化を迎えようとしている。
【０００４】
ところで、このＤＶＤ＋ＲＷにおいては、再生専用型の２層ＤＶＤと同様に、２層目のトラックが１層目のトラックと同じく内周から外周に向かっているパラレルトラックパス（Parallel Track Path＝ＰＴＰ）方式、そして、２層目のトラックが外周から内周に向かっているオポジットトラックパス（Opposite Track Path＝ＯＴＰ）方式の２種類のトラック方式がある。
【０００５】
図７は、ＰＴＰ方式による記録型２層ＤＶＤの論理フォーマットの概略図であり、図８は、ＯＴＰ方式による記録型２層ＤＶＤの論理フォーマットの概略図である。これらの図においては、図中左側が光ディスクの内周側で、右側が光ディスクの外周側である。
【０００６】
図７のように、ＰＴＰ方式では、１層目及び２層目の各記録層にリードイン領域（Lead-In Area）、データ領域（Data Area）、リードアウト領域（Lead-Out Area）があり、各記録層とも光ディスクの内周から外周に向かってデータが書き込まれる。つまり、１層目と２層目のデータ領域が開始するアドレスの半径位置が等しくなる。
【０００７】
図８のように、ＯＴＰ方式では、１層目の記録層には光ディスクの内周からリードイン領域（Lead-In Area）、データ領域（Data Area）、ミドル領域（Middle Area）が存在し、２層目の記録層には光ディスクの外周からミドル領域（Middle Area）、データ領域（Data Area）、リードアウト領域（Lead-Out Area）が存在する。つまり、１層目の記録層には光ディスクの内周から外周へデータが書き込まれ、２層目の記録層には逆の方向へデータが書き込まれる。したがって、２層目のデータ領域が開始するアドレスの半径位置は、１層目のデータ領域が終了するアドレスの半径位置と等しくなる。
【０００８】
例えば、特許文献１では、ＯＴＰ方式によってデータを記録するもので、ユーザデータの記録完了後にその完了位置が１層目かどうかを判別し、１層目の場合は完了位置直後から中間領域を記録し、中間領域から外周は未記録の状態とする情報記録方法が開示されている。
【特許文献１】特開２００４−３０３４２１号公報
【発明の開示】
【発明が解決しようとする課題】
【０００９】
光ディスクは、ハードディスクと比べてディスクの挿入、取り出しが可能なことから汚れや傷といった外的要因に弱く、記録時や再生時にエラーを発生しやすいため、信頼性を確保するためには取り扱いに注意する必要がある。表面に傷やゴミが付着した場合には、再生リトライやサーボの引き込み条件の変更といった再生努力が行われるのが一般的だが、この再生リトライ処理でも再生できない場合もあり、そのような場合にはユーザにとって不満は残ってしまう。
【００１０】
このような不具合を回避すべく、２層の光ディスクにおいては、２層目に１層目のデータをコピーして保存しておくことによって、情報記録媒体としての信頼性がより向上すると考えられる。しかしながら、従来の技術では、特許文献１にあるように、ディスクへデータの記録を行う機能はあっても、記録されたデータをバックアップする機能を含むものではない。
【００１１】
そこで、本発明は、光ディスク等の情報記録媒体に記録したデータをバックアップできる機能を設けることにより、情報記録媒体として光ディスクの信頼性を高め、ユーザの利便性を向上させることを目的とする。
【課題を解決するための手段】
【００１２】
かかる目的を達成するために、請求項１記載の発明は、データの書き換えが可能な複数の記録層を備える情報記録媒体に対し前記データの記録及び再生を行う情報記録再生装置において、第１の記録層をユーザデータの記録領域、第２の記録層をバックアップデータの記録領域として認識する認識手段と、前記ユーザデータを第１の記録層へ記録する記録手段と、前記記録手段により記録されたユーザデータをバックアップデータとして第２の記録層へコピーするコピー手段と、前記コピー手段によりコピーすることについて制御する制御手段とを有し、前記制御手段は、前記認識手段により認識した後で、ユーザからのアクセスがないときにコピーを実施する制御を行うことを特徴とする。
【００１３】
前記認識手段は、ホストコンピュータのコマンドから第２の記録層をバックアップデータの記録領域として認識し、前記コピー手段は、前記記録手段により記録されたユーザデータと同一のデータをバックアップデータとして生成し、前記制御手段は、前記認識手段で第２の記録層がバックアップデータの記録領域と認識された後で、ユーザからのアクセスがないときに第２の記録層へのコピーを実施する制御を行う。当該構成により、ユーザデータを第１の記録層へ記録するに際し、ユーザのアクセスのない時間に第２の記録層へ同一のデータをバックアップすることが可能となる。
【００１４】
また、請求項２記載の発明は、請求項１に記載の情報記録再生装置において、前記情報記録媒体は、オポジットトラックパス（ＯＴＰ）方式のディスクであることを特徴とする。
【００１５】
また、請求項３記載の発明は、請求項１又は２に記載の情報記録再生装置において、前記コピー手段によるコピーの状況について表したコピー情報をビットマップ形式で管理する管理手段を有することを特徴とする。
【００１６】
また、請求項４記載の発明は、請求項３に記載の情報記録再生装置において、前記管理手段は、前記コピーデータのアドレスのブロックごとにコピー完了又はコピー未了の設定をすることを特徴とする。
【００１７】
また、請求項５記載の発明は、請求項４に記載の情報記録再生装置において、前記管理手段は、前記記録手段により記録された第１の記録層のユーザデータが上書きして変更された場合に、前記変更されたユーザデータが記録されていたブロックに対応する第２の記録層におけるコピーデータのブロックの設定をコピー未了に再設定することを特徴とする。
【００１８】
また、請求項６記載の発明は、請求項３から５のいずれか１項に記載の情報記録再生装置において、第２の記録層に前記コピー情報を記録することを特徴とする。
【００１９】
また、請求項７記載の発明は、請求項１から６のいずれか１項に記載の情報記録再生装置において、前記記録手段により記録された第１の記録層のユーザデータを再生するときに再生エラーが発生した場合に、前記コピー手段によりコピーされた第２の記録層のコピーデータを再生する再生リトライ手段を有することを特徴とする。
【００２０】
また、請求項８記載の発明は、データの書き換えが可能な複数の記録層を備える情報記録媒体に対し前記データの記録及び再生を行う情報記録再生装置において、第１の記録層をユーザデータの記録領域、第２の記録層をバックアップデータの記録領域として認識する認識工程と、前記ユーザデータを第１の記録層へ記録する記録工程と、前記記録手段により記録されたユーザデータをバックアップデータとして第２の記録層へコピーするコピー工程と、前記コピー工程によりコピーすることについて制御する制御工程とを有し、前記制御工程は、前記認識工程により認識した後で、ユーザからのアクセスがないときにコピーを実施する制御を行うことを特徴とする。
【００２１】
また、請求項９記載の発明は、請求項８に記載の情報記録再生方法において、前記情報記録媒体は、オポジットトラックパス（ＯＴＰ）方式のディスクであることを特徴とする。
【００２２】
また、請求項１０記載の発明は、請求項８又は９に記載の情報記録再生方法において、前記コピー工程によるコピーの状況について表したコピー情報をビットマップ形式で管理する管理工程を有することを特徴とする。
【００２３】
また、請求項１１記載の発明は、請求項１０に記載の情報記録再生方法において、前記管理工程は、前記コピーデータのアドレスのブロックごとにコピー完了又はコピー未了の設定をすることを特徴とする。
【００２４】
また、請求項１２記載の発明は、請求項１１に記載の情報記録再生方法において、前記管理工程は、前記記録工程により記録された第１の記録層のユーザデータが上書きして変更された場合に、前記変更されたユーザデータが記録されていたブロックに対応する第２の記録層におけるコピーデータのブロックの設定をコピー未了に再設定することを特徴とする。
【００２５】
また、請求項１３記載の発明は、請求項１０から１２のいずれか１項に記載の情報記録再生方法において、前記管理手段は、第２の記録層に前記コピー情報を記録することを特徴とする。
【００２６】
また、請求項１４記載の発明は、請求項８から１３のいずれか１項に記載の情報記録再生方法において、前記記録工程により記録された第１の記録層のユーザデータを再生するときに再生エラーが発生した場合に、前記コピー手段によりコピーされた第２の記録層のコピーデータを再生する再生リトライ工程を有することを特徴とする。
【００２７】
また、請求項１５記載の発明は、請求項８から１４のいずれか１項に記載の情報記録再生方法をコンピュータに実行させるためのプログラムである。
【００２８】
また、請求項１６記載の発明は、請求項１５に記載のプログラムを記録したコンピュータ読み取り可能な記録媒体である。
【発明の効果】
【００２９】
本発明によれば、光ディスク等の情報記録媒体に記録したデータをバックアップできる機能を設けることによって、情報記録媒体として光ディスクの信頼性を高め、ユーザの利便性を向上させることが可能となる。
【発明を実施するための最良の形態】
【００３０】
図面を参照しながら、本発明の実施形態における情報記録再生装置について説明する。
【００３１】
図１は、本実施形態としてＣＤ／ＤＶＤ再生記録ドライブ装置の構成を示すブロック図である。本ドライブ装置は、ＣＰＵ１、ＦＬＡＳＨ  ＲＯＭ２、ＨＯＳＴ  Ｉ／Ｆ  ＣＯＮＴＲＯＬＬＥＲ３、ＢＵＦＦＥＲ  ＭＡＮＡＧＥＲ４、ＤＲＡＭ５、ＳＵＢ  ＣＯＤＥ  ＯＰＥＲＡＴＩＯＮ  ＣＯＮＴＲＯＬＬＥＲ６、ＣＤ−ＲＯＭ  ＥＮＣＯＲＤＥＲ７、ＳＲＡＭ８、ＣＤ−ＲＯＭ  ＤＥＣＯＲＤＥＲ９、ＡＵＤＩＯ  ＣＯＮＴＲＯＬＬＥＲ１０、ＳＹＳＴＥＭ  ＣＯＮＴＲＯＬＬＥＲ１１、ＣＤ／ＤＶＤ  ＥＮＣＯＲＤＥＲ１２、ＣＤ／ＤＶＤ  ＤＥＣＯＲＤＥＲ１３、ＳＥＲＶＯ  ＣＯＮＴＲＯＬＬＥＲ１４及びＳＰＩＮＤＬＥ  ＣＯＮＴＲＯＬＬＥＲ１５から構成される。また、ＨＯＳＴ  Ｉ／Ｆ１８を介してホストコンピュータ１６と接続されており、ディスク１７の記録あるいは再生を行う。
【００３２】
ＣＰＵ１は、本ドライブ装置の全体動作の制御を司る中央演算処理ＬＳＩである。ＦＬＡＳＨ  ＲＯＭ２は、ＣＰＵ１が消去あるいは書き換えできる不揮発性メモリである。ＨＯＳＴ  Ｉ／Ｆ  ＣＯＮＴＲＯＬＬＥＲ３は、ＨＯＳＴ  Ｉ／Ｆ１８を介したホストコンピュータ１６と本ドライブ装置との通信を制御するＬＳＩである。
【００３３】
ＢＵＦＦＥＲ  ＭＡＮＡＧＥＲ４は、ホストコンピュータ１６からの転送データ及びディスク１７から読み出したデータの転送制御をするＬＳＩである。ＤＲＡＭ５は、ホストコンピュータ１６からの転送データ及びディスク１７から読み出したデータを一時格納するバッファメモリである。ＳＵＢ  ＣＯＤＥ  ＯＰＥＲＡＴＩＯＮ  ＣＯＮＴＲＯＬＬＥＲ６は、ディスク上に記録するサブコードを生成したり、ディスク１７から読み出したサブコードを分離したりするＬＳＩである。
【００３４】
ＣＤ−ＲＯＭ  ＥＮＣＯＲＤＥＲ７は、ＣＤ−ＲＯＭデータをディスク１７に書き込む前に変調するＬＳＩである。ＳＲＡＭ８は、プログラム変数等を格納するメモリである。ＣＤ−ＲＯＭ  ＤＥＣＯＲＤＥＲ９、再生したＣＤ−ＲＯＭデータを復調するＬＳＩである。
【００３５】
ＳＹＳＴＥＭ  ＣＯＮＴＲＯＬＬＥＲ１１は、ディスク１７への情報記録あるいは再生を制御するＬＳＩである。ＣＤ／ＤＶＤ  ＥＮＣＯＲＤＥＲ１２は、ＣＤの場合には、ディスク１７に情報を記録する前にその規格に適合できるようにユーザデータとサブコードを変調する。また、ＤＶＤの場合には、ＤＶＤ＋Ｒ／ＲＷディスクに記録するべくユーザデータをエンコードする。ＣＤ／ＤＶＤ  ＤＥＣＯＲＤＥＲ１３は、ＣＤの場合には、ディスク１７から再生した情報をユーザデータとサブコードに分離、復調する。また、ＤＶＤの場合には、ディスク１７から再生した情報をユーザデータとしてデコードする。
【００３６】
ＳＥＲＶＯ  ＣＯＮＴＲＯＬＬＥＲ１４は、エラー信号に基づいて光ピックアップ（不図示）の制御信号を生成し、モータドライバ（不図示）へ出力する。ＳＰＩＮＤＬＥ  ＣＯＮＴＲＯＬＬＥＲ１５は、ディスク１７の回転制御を行うＬＳＩである。ＨＯＳＴ  Ｉ／Ｆ１８は、外部装置となるホストコンピュータ１６と双方向の通信インターフェースである。なお、本実施形態では、ディスク１７はＯＴＰ方式のディスクである。
【００３７】
本発明の実施形態において、ホストコンピュータ１６からのコマンドに基づいて、ＣＰＵ１がユーザデータの記録領域かバックアップデータの記録領域かの認識を行う。その後、ＳＹＳＴＥＭ  ＣＯＮＴＲＯＬＬＥＲ１１の制御に基づきＣＤ／ＤＶＤ  ＥＮＣＯＲＤＥＲ１２が第１の記録層へ情報記録をし、また、第２の記録層へのコピーを行う。ＣＰＵ１は、ＲＯＭに格納されたプログラムに従い、ユーザからのアクセスのないときに上記の処理を行う制御をする。
【００３８】
次に、バックアップ動作の制御について説明する。図２は、本実施形態のバックアップの動作制御を示すフローチャートである。
【００３９】
まず、ＤＶＤ＋ＲＷ等の書き換え可能な複数の記録層を有する記録媒体に対して、ＣＰＵ１は、第１の記録層をユーザデータの記録領域として、第２の記録層をバックアップデータの記録領域として認識する。つまり、ディスクのフォーマットの際に、第２の記録層のＣｏｐｙ設定がなされる（ステップＳ２１）。これは、ホストコンピュータ１６からのＦｏｒｍａｔ  Ｕｎｉｔ  Ｃｏｍｍａｎｄにより実施される。
【００４０】
ここで、Ｆｏｒｍａｔ  Ｕｎｉｔ  Ｃｏｍｍａｎｄについて説明する。図３は、Ｆｏｒｍａｔ  Ｕｎｉｔ  ＣｏｍｍａｎｄのＦｏｒｍａｔ  Ｄｅｓｃｒｉｐｔｏｒ（パラメータ）を示したものである。そのパラメータにおいて、Ｂｙｔｅ４Ｂｉｔ０に位置するＣｏｐｙ  Ｂｉｔが“１”であるとき、２層目が１層目のバックアップとしてコピーされることを表している。Ｃｏｐｙ  Ｂｉｔが“１”と設定されたＦｏｒｍａｔ  Ｕｎｉｔ  Ｃｏｍｍａｎｄが受信することによって、本ドライブ装置はＣｏｐｙを認識する。
【００４１】
再びバックアップ動作制御の説明に戻る。第２の記録層がＣｏｐｙ設定された後、ホストコンピュータ１６（ユーザ）からの命令により１層目にユーザデータが記録される（ステップＳ２２）。第１の記録層に記録されたユーザデータは、ホストコンピュータ１６（ユーザ）からのアクセスがないときに第２の記録層へバックアップデータとしてコピーされる（ステップＳ２３）。
【００４２】
上述したように、本実施形態における情報記録媒体はＯＴＰ方式のディスクである。ＰＴＰ方式では、第１及び第２の記録層はいずれも内周から外周に向かってデータが書き込まれ、双方のデータ領域開始アドレスの半径位置が等しくなるのに対し、ＯＴＰ方式では、第１の記録層へは内周から外周へ、第２の記録層へは外周から内周へとデータが書き込まれ、同じデータがディスクの半径位置として反対側に存在することになる。このため、ＯＴＰ方式を用いることによって、バックアップデータを再生する場合等に、傷やゴミといった外的要因に対する信頼性が向上する。
【００４３】
続いて、バックアップデータのコピー状況の情報（コピー情報）について説明する。上記のように、第２の記録層へのコピーは、ホストコンピュータ１６からのアクセスがないときに行われるため、そのコピー状況を明瞭に表現し管理しておくことが必要となる。そこで、本実施形態では、第２の記録層へのバックアップデータについて、コピー完了とコピー未了の設定をして表示するビットマップ方式により管理する。
【００４４】
図４は、ビットマップの構成の一例である。図４（Ａ）はＥＣＣブロックナンバとビットマップとの対応を示している。例えば、ＥＣＣブロックナンバ０は、ビットマップのＢｙｔｅ０Ｂｉｔ０にその状態を表し、ＥＣＣブロックナンバ３０は、ビットマップのＢｙｔｅ３Ｂｉｔ６にその状態を示す。図４（Ｂ）は、実際に記録されている状態を示す。図において、“１”はコピー完了を、“０”はコピー未了を意味する。ここでは、Ｂｙｔｅ３Ｂｉｔ５まで“１”が記録されていることから、ＥＣＣブロックナンバ０から２９までが実際にコピー完了していることを表している。したがって、ホストコンピュータ１６からのアクセスがなくなった状態での次回のコピーは、コピー未了“０”が記録されているＥＣＣブロック３０から実施されることになる。このようにすることにより、第２の記録層へのコピー完了、コピー未完了の情報が管理できるため、バックアップデータのコピー中にユーザから記録や再生等のアクセスがあっても、その処理終了後にコピーを再開することが可能となる。
【００４５】
また、第１の記録層に記録されたユーザデータが上書きにより変更されるような場合について説明する。第１の記録層のユーザデータが上書き変更されたときは、第２の記録層に対し、その変更部分のデータをコピー完了からコピー未完了へ再設定する。
【００４６】
図５は、コピーが完了した第１の記録層のユーザデータがユーザによって修正された後に変更されたビットマップの状態を示す。ＥＣＣブロックナンバ１１〜１３の部分が修正された箇所であり、これらに対応するビットが“１”から“０”に再設定されている。つまり、データの上書き箇所についてコピー未了に再設定し、このコピー未了のブロックをその後に第２の記録層にコピーするものである。このような処理を行うことにより、第１の記録層に上書きによるユーザデータの変更があっても、この変更部分をコピー未完了とすることにより、変更部分のみ第２の記録層にバックアップデータとして効率的にコピーすることができる。
【００４７】
上記のビットマップ方式によるコピー情報管理は、第２の記録層に対して、それもそのリードアウト領域（Lead-Out Area）に対して行うのが好適である。これにより、情報記録媒体がイジェクトされた後も、その場所を再生することによって、コピーをするべきＥＣＣブロックナンバを確認することが可能となる。このように、バックアップデータのコピーの進捗状況を管理できることにより、イジェクト等の処理があっても、その後にコピーを再開することができる。
【００４８】
次に、再生エラーが発生した場合に行う再生リトライ処理について説明する。図６は、第１の記録層に記録されたユーザデータの再生時に再生エラーが発生した場合のリトライ処理を示したフローチャートである。
【００４９】
第１の記録層のユーザデータ再生要求をユーザが行ったとき、まず第１の記録層のデータを再生する（ステップＳ７１）。この再生において、サーボエラーあるいはデータエラーが発生した場合は（ステップＳ７２／ＹＥＳ）、リトライの試行回数を確認する（ステップＳ７３）。リトライ回数が３回以下であれば（ステップＳ７３／ＮＯ）、第１の記録層のデータを再生する（ステップＳ７１）。
【００５０】
これに対し、リトライ回数が３回を超える場合は（ステップＳ７３／ＹＥＳ）、第１の記録層エラーアドレスに対応する第２の記録層のアドレスにシーク処理の対象を変換する（ステップＳ７４）。その後、エラーアドレスに対応する第２の記録層に存在するアドレスのバックアップデータを再生する（ステップＳ７５）。なお、ステップＳ７２で再生エラーが発生しない場合には（ステップＳ７２／ＮＯ）、この再生処理は終了となる。
【００５１】
通常の再生では、リトライ回数の上限（一般的には１６回）が設定されており、所定時間内（例えば７秒）で再生できるように再生リトライを実行して、エラーとなったアドレスを再生する。これに対して、本実施形態では、第１の記録層の再生リトライを３回実行してエラーが発生する場合は、そのアドレスにおけるデータ再生を断念し第２の記録層のバックアップデータ再生するものである。このような処理を行うことにより、再生の信頼性を向上させることができるとともに、無駄なリトライ時間を短縮することができ再生パフォーマンスが向上する。なお、再生リトライの回数の３回は一例であり、このほかにも任意の回数に設定することはもちろん可能である。
【００５２】
上記の実施形態によれば、第１の記録層に記録されるユーザデータと第２の記録層にコピーされるバックアップデータとが情報記録媒体の半径位置として反対側に位置するＯＴＰ方式によって記録するため、傷やゴミ付着などの外的要因に対して再生の信頼性が向上する。
【００５３】
また、上記の実施形態によれば、第２の記録層のバックアップデータをビットマップ方式により記録するため、コピー完了、コピー未完了の情報が管理できる。このため、バックアップデータのコピー中にユーザから記録や再生等のアクセスがあっても、その処理終了後にコピーを再開することが可能となる。
【００５４】
また、上記の実施形態によれば、第１の記録層に上書きによるユーザデータの変更があっても、この変更部分をコピー未完了とするため、変更部分のバックアップデータを第２の記録層にコピーすることができる。
【００５５】
また、上記の実施形態によれば、バックアップデータのコピー状況を第２の記録層に保存するため、コピーの状況を管理することができ、イジェクト等の処理があっても、その後にコピーを再開することができる。
【００５６】
また、上記の実施形態によれば、第１の記録層のユーザデータに再生エラーが発生しても、第２の記録層のバックアップデータを再生するため、再生に関する信頼性が向上する。
【００５７】
上記のほかに、本発明の他の実施形態として、第２の記録層へのコピーを実施するバックアップ機能を有する情報記録再生方法、該コピー情報をビットマップ方式にて管理する情報記録再生方法、再生エラー時にリトライできる情報記録再生方法等が可能である。また、これらの情報記録再生方法をコンピュータに実現させるためのプログラムや、該プログラムを記録したコンピュータ読み取り可能な記録媒体を、他の実施形態とすることもできる。
【００５８】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【図面の簡単な説明】
【００５９】
【図１】本発明の実施形態に係る情報記録再生装置の構成を示すブロック図である。
【図２】本発明の実施形態に係るバックアップ動作の制御を示すフローチャートである。
【図３】本発明の実施形態におけるＦｏｒｍａｔ  Ｕｎｉｔ  Ｃｏｍｍａｎｄのパラメータを示した説明図である。
【図４】本発明の実施形態に係るビットマップの構成例である。
【図５】本発明の実施形態に係るビットマップの構成例である。
【図６】本発明の実施形態に係る再生リトライの処理を示したフローチャートである。
【図７】ＰＴＰ方式による記録型２層ＤＶＤの論理フォーマットの概略図である。
【図８】ＯＴＰ方式による記録型２層ＤＶＤの論理フォーマットの概略図である。
【符号の説明】
【００６０】
１    ＣＰＵ
２    ＦＬＡＳＨ  ＲＯＭ
３    ＨＯＳＴ  Ｉ／Ｆ  ＣＯＮＴＲＯＬＬＥＲ
４    ＢＵＦＦＥＲ  ＭＡＮＡＧＥＲ
５    ＤＲＡＭ
６    ＳＵＢ  ＣＯＤＥ  ＯＰＥＲＡＴＩＯＮ  ＣＯＮＴＲＯＬＬＥＲ
７    ＣＤ−ＲＯＭ  ＥＮＣＯＲＤＥＲ
８    ＳＲＡＭ
９    ＣＤ−ＲＯＭ  ＤＥＣＯＲＤＥＲ
１０    ＡＵＤＩＯ  ＣＯＮＴＲＯＬＬＥＲ
１１    ＳＹＳＴＥＭ  ＣＯＮＴＲＯＬＬＥＲ
１２    ＣＤ／ＤＶＤ  ＥＮＣＯＲＤＥＲ
１３    ＣＤ／ＤＶＤ  ＤＥＣＯＲＤＥＲ
１４    ＳＥＲＶＯ  ＣＯＮＴＲＯＬＬＥＲ
１５    ＳＰＩＮＤＬＥ  ＣＯＮＴＲＯＬＬＥＲ
１６    ホストコンピュータ
１７    ディスク
１８    ＨＯＳＴ  Ｉ／Ｆ
【図１】
2007035102.tif 000003
【図２】
2007035102.tif 000004
【図３】
2007035102.tif 000005
【図４】
2007035102.tif 000006
【図５】
2007035102.tif 000007
【図６】
2007035102.tif 000008
【図７】
2007035102.tif 000009
【図８】
2007035102.tif 000010